(57)【特許請求の範囲】
【請求項１】
略水平な底部と該底部の外側に湾曲して立ち上がる側部とからなる窪地状の屋外遊び場であって、上記底部は支持層の上に略水平に配設した遮水構造の底板の上に打設したコンクリートモルタル層で形成し、かつ上記側部はフーチング上に設けた支持枠上に張設した波形鋼板の上に打設したコンクリートモルタル層で形成してなり、上記底板周縁部は垂直な止水縁を設けた周縁底板に形成するとともに、該周縁底板は上記側部のフーチング上に固着したことを特徴とする屋外遊び場。
【請求項２】
上記屋外遊び場内へ水を供給する給水設備を設けるとともに、上記止水縁の上端縁より下方に水位を維持するオーバーフロー設備を設けたことを特徴とする請求項１記載の屋外遊び場。
【請求項３】
上記屋外遊び場のコンクリートモルタル層は、縦断面を垂直に仕切る継手部材と、該継手部材の上部を充填する目地材とを設けるとともに、上面を木ゴテ仕上げ等による粗仕上げ面に形成したことを特徴とする請求項１又は２記載の屋外遊び場。
【発明の詳細な説明】
【０００１】
【発明の属する技術分野】
この発明は、スケートボードなどを用いて滑って遊んだり水を溜めて水遊びを行うための、略水平ないし略凹面に湾曲した窪地状に形成する屋外遊び場に関するものである。
【０００２】
【従来の技術】
近年、年少者や若者の間で、スケートボードやローラースケートなどを使用して滑って遊ぶ競技が流行っている。これらの滑って遊ぶ競技は、道路や公園の広場などの堅い床面を利用し、カラーコーン、平均台、湾曲面や傾斜面を有する架台などを配置して行っているが、道路や広場などの場所では、通行の障害になったり、近隣の住民に騒音公害を与えたり、ゴミの散乱や器物の損傷などを発生する場合があった。
このように、年少者や若者がスケートボードなどを使って滑って遊んだり、幼児や年少者などが夏期の暑い時期に、水を溜めた中で湾曲面を滑って水遊びなどして遊ぶ場所は少なく、レジャー性や安全性が配慮されておらず安心して遊ばせることができなかった。
そこで、通行の障害とならず、騒音などによって迷惑とならないようにして、安全で健康的に滑ったり水遊びなどに使用する施設が求められており、屋外に施工性よく構築することができ、耐久性を有し、変化性、遊戯性、運動の技量向上に役立つ施設が望まれていた。
【０００３】
なお、スケートボードの練習や競技に用いるように、プレキャストコンクリート製のハーフパイプの人工滑走路のユニットが考えられており、また、スノーボード用ゲレンデ構築に使用し、夏期にはスケートボード用としても使用できるハーフパイプゲレンデ構築用ユニットなども考えられているが、現地までの運搬が大変になる問題が生じたり、屋外での基礎の構築が大掛かりとなったり、基礎と基版の構築が繁雑になったりして、屋外の広い場所に施工性よく簡単容易に構築することは難しかった。
【０００４】
【発明が解決しようとする課題】
屋外で構築する屋外の遊び場は、底部が略平坦で広い面積を有する場合に、地面の基礎に底部を平均に支えるとともに、施工性よく経済的に底部を構築することは難しかった。
そして、地面の土圧がかかったり、地下水が上昇した場合に、押し上げる力が加わって底部に割れが生じるおそれがあった。また、地下水が増加し上昇した場合に、底部上部に地下水が透過してくる心配があり、水を使用しない遊びをする時に浸水などの不具合を生じるおそれがあった。
また、雨が降った時に、雨水が底部から地下へ浸透して基礎が軟弱になり、基礎の強度が低下するおそれがあった。さらに、底部からの浸透を防止し雨水を溜めて、効率よく遊び場の外部へ排出することが難しかった。
また、遊び場の側部を土盛りや堀下げた斜面を使用した場合には、周囲からの土圧によって側部に割れや損傷を生じるおそれがあった。また、斜面に設けた側部の湾曲面に繰返し変形荷重がかかって、表面にヒビ割れや剥がれなどが生じる心配もあった。
さらに、底部と側部の接続箇所においては、底部の周縁は引張り荷重や曲げ荷重が集中し、また側部の端縁には圧縮荷重や曲げ荷重が繰り返しかかるため、その接続部近傍が損傷するおそれがあった。
そして、水遊びをする際には、水が基礎の中へ浸透するのを防止し、コンクリートモルタル層などの部材に表面クラックや割れが発生することなく、変形荷重などに強い構造にすることが望まれており、さらに水遊びの際には床面が滑って危険とならないように、床面を安全な表面仕上げにすることが肝要であった。
【０００５】
この発明の目的は、上述のような従来技術が有する問題点に鑑みてなされたもので、屋外での施工性に優れ、使用時の耐久性に優れ、スケートボード遊び、水遊びなどに使用し、安全で安心して遊ぶことができる屋外遊び場を提供する。
【０００６】
【課題を解決するための手段】
この発明に係る屋外遊び場は、略水平な底部と該底部の外側に湾曲して立ち上がる側部とからなる窪地状の屋外遊び場であって、上記底部は支持層の上に略水平に配設した遮水構造の底板の上に打設したコンクリートモルタル層で形成し、かつ上記側部はフーチング上に設けた支持枠上に張設した波形鋼板の上に打設したコンクリートモルタル層で形成してなり、上記底板周縁部は垂直な止水縁を設けた周縁底板に形成するとともに、該周縁底板は上記側部のフーチング上に固着したものである。
【０００７】
また、上記屋外遊び場内へ水を供給する給水設備を設けるとともに、上記止水縁の上端縁より下方に水位を維持するオーバーフロー設備を設けたものである。
【０００８】
また、上記屋外遊び場のコンクリートモルタル層は、縦断面を垂直に仕切る継手部材と、該継手部材の上部を充填する目地材とを設けるとともに、上面を木ゴテ仕上げ等による粗仕上げ面に形成したものである。
【０００９】
【発明の実施の形態】
この発明に係る屋外遊び場１の実施形態例について、図１乃至図５に基づいて説明する。
図１は、水平又は凹状に略平坦面を有する底部２と、凹状の急傾斜面に湾曲する側部３とからなる屋外遊び場１を一部欠除してその縦断面を示すもので、図２はその一部を拡大してさらに詳細に示し、図３は底部２に水１６を張った状態を示している。
【００１０】
図１に示すように、略平坦な底部２は、地盤基礎４上に設けた支持層５と、この支持層５の上に配設した底板６と、この底板６上に打設した略水平な湾曲面のコンクリートモルタル層７とで形成する。なお、底部２の中央下部などの要所には、剛構造の底部フーチング８を設け、底板６の内側端部９近傍にかかる垂直荷重を確りと支えられるようにしている。
【００１１】
上記地盤基礎４は、例えば、地面を掘下げて広い略平坦面とし、その上に割り石を敷き並べ、その上に粗い砂利を敷き固め、さらにその上に捨てコンクリートを打設して、例えば厚さ約１００〜３００ミリメートル程度の略水平版状に形成する。
上記地盤基礎４の上に施工する支持層５は、後述する砕石や砂などの弾力性を有する部材を転圧して、例えば厚さ約１００〜２００ミリメートル程度の均一な層で、底板６にかかる垂直荷重を平均に支えるように形成する。
【００１２】
また、図１に示すように、急傾斜に湾曲する側部３は、剛構造のフーチング１０の上に組立てた架構１１と、この架構１１の上に固着した支持枠１２と、この支持枠１２上に張設した波形鋼板１３と、この波形鋼板１３の上に打設した湾曲面のコンクリートモルタル層７とで形成する。
【００１３】
上記フーチング１０は、例えば、地面を掘下げ或いは盛り土して土留め壁１４を設け、その内側下部に杭打ちしてその上に鉄筋コンクリートの杭基礎１５を設け、この杭基礎１５の上に打設する。
このフーチング１０上に、アングル材やチャンネル材などの形鋼材を用いて垂直材と水平材などを組合せて架構１１を構築し、この架構１１の上側部に湾曲面に合わせて成形した支持枠１２を、例えば約５００〜１８００ミリメートル程度の間隔をおいて配置する。この支持枠１２，１２間に波形鋼板１３を湾曲面に沿わせるように張設し、この波形鋼板１３上に、例えば厚さ約５０〜４００ミリメートル程度のコンクリートモルタル層７を打設して湾曲面状に形成する。
【００１４】
上記支持層５の上に配設する底板６は、図２に詳細を例示するように、遮水性を有する鋼板などの部材で形成し、その周縁部は厚さを増加した周縁底板１７に形成し、この周縁底板１７の端部近傍に、垂直に立ち上げた止水縁１８を設ける。この止水縁１８は、例えば、高さ約５０〜３００ミリメートル程度とし、後に図３に示して詳述するように、コンクリートモルタル層７の上に張った水１６が、下部及び周囲に浸透しないように塞き止めている。
このように遮水性を有する底板６を配設することにより、地下水が上昇し底部２に浸透してくることがなく、また雨水や水１６が地下へ浸透することもないので、基礎の軟弱化や劣化が防止されるため底部２の耐久性が向上する。
【００１５】
上記遮水性を有する底板６は、例えば、鉄、アルミニウム、ステンレス鋼などの金属材料、或いは繊維強化プラスチックスなどの合成樹脂材料等からなる薄い平板材を用いて、溶接や溶着などによって一体に接合して液密構造に形成する。底板６の一例として、例えば厚さ６ミリメートル程度の鋼板などを使用した場合には、重ねすみ肉溶接や突合せ完全溶込み溶接などによって接合し、また周縁底板１７は、例えば９ミリメートル程度の鋼板などを用いて、重ねすみ肉溶接や突合せ完全溶込み溶接によって接合し、また上記止水縁１８は曲げ成形材を用いるか或いは同種の鋼板などを溶接して形成する。
【００１６】
底部２と側部３の結合部近傍を、図２に基づいてさらに詳細に説明する。底板６に接続する周縁底板１７と直角に立ち上がる止水縁１８とで形成される角部には、側面三角形状のリブ板１９を溶着して補強する。そして、周縁底板１７は、アンカーボルト（図示せず）によって側部３のフーチング１０に固着する。また、波形鋼板１３を固着した支持枠１２の下端部には、取付部材２１を設け、この取付部材２１は、アンカーボルト２２によって側部３のフーチング１０に固着する。
このように底板６の周縁底板１７は、側部３のフーチング１０の上に頑強に固着されているため、引っ張り荷重と曲げ荷重が伝わっても移動や変形などすることなく、また止水縁１８によって強度が高まり、さらにリブ板１９によって補強されるため、損傷などするおそれがなく高強度で耐久性に優れる。また、側部３の支持枠１２と波形鋼板１３もフーチング１０の上に頑強に固着されているので、曲げ荷重や繰り返し変形荷重を受けても耐久性に優れたものとなる。
【００１７】
なお、フーチング１０に固着された波板鋼板１３と止水縁１８との間は、コンクリートモルタルを打設する際に、この隙間からコンクリートモルタルが流れ落ちないように、波板鋼板１３と止水縁１８との間を埋める如く、例えば、薄い鋼板にて形成した連結板２３を設ける。図２のように連結板２３を架け渡すことにより、周囲に降る雨がコンクリートモルタル層７内に浸透し、浸透水が波板鋼板１３の上を伝わって下降したとしても、遮水性を有する底板１３の上方の底部２に溜めることができるので、排水口（図示せず）から外部へ効率良く排出することが可能となる。
【００１８】
図３は、底部２に水を溜めた状態を示す。周縁底板１７に設ける止水縁１８は、水１６の水位より高く立ち上げて形成する。水１６の水位を維持するためのオーバーフロー設備２４は、止水縁１８の上端縁近傍に開口するオーバーフロー排出口２５と、このオーバーフロー排出口２５から外部へ水を排出するオーバーフロー排水管２６とから形成する。
このようにオーバーフロー設備２４を設けたことによって、コンクリートモルタル層７の上に張った水１６は、遮水性を有する底板６，１７の下部に浸透することなく、また周縁を直角に立ち上げた止水縁１８で遮られて周囲に漏れることもなく所定の水深が維持されるため、この水１６を夏期の水遊びに使用することができる。
【００１９】
底板６を平均に支える支持層５の事例について、さらに詳細に説明する。支持層５は、例えば、一般に安価で入手し易い山砂や川砂などの基礎砂、或いは、ＪＩＳ  Ａ５００１「道路用砕石」に規定されている単粒度砕石のうち、粒度２．５ミリメートル乃至５ミリメートル程度の呼び名Ｓ−５（７号）の単粒度砕石、つまり、通称７号砕石、又は、ＪＩＳ  Ａ５００５「コンクリート用砕石及び砕砂」に規定されている砕砂、つまり、粒度５ミリメートル以下の砕砂などを使用し、堅硬、耐久的で、ごみ、泥、有機物などの不純物を含有していないもので、粒子間の空隙が多く弾力性を有するものが使用される。或いはまた、支持層５として、合成樹脂を発泡して形成した支持材、例えばポリスチレンフォームのボード材などの支持材を使用した場合には、軽量で、耐久性があり、均質化と高い空隙率、弾力性の向上、基礎の軽量化などが図られる。
【００２０】
波形鋼板１３の事例について、さらに詳細に説明する。波形鋼板１３は、例えば、ＪＩＳ  Ｇ３３５２「デッキプレート」に規定されている圧延鋼材、山谷断面形状の亜鉛めっき鋼板などを使用し、上記支持枠１２上面に溶接やボルト・ナットなどによって固着する。このように、波形鋼板１３を用いることによって、三次元に湾曲する湾曲面形状に沿わせて裁断加工し、かつ曲げて配列することが容易となり、かつ波形に直交する方向の変形やたわみに対して強い剛構造とすることができる。またコンクリートモルタル層７を上面に打設する際に、型枠としてコンクリートモルタルの垂れ下がりを防止することができ湾曲面形状の仕上げがやり易くなる。
【００２１】
上記のように形成した底部２は、支持層５の弾力性能などによって、遊戯者の出入りなどによる荷重変動に伴う底板６の変形を吸収するため、耐久性を維持し、また側部３は、支持枠１２及び波形鋼板１３に支えられて荷重を吸収し、遊戯者の荷重変動に伴う湾曲面の外側方向へのたわみや繰返し変動に対して耐久性を維持する。
【００２２】
図４に基づいて、コンクリートモルタル層７について詳細に説明する。このコンクリートモルタル層７は、底板６から波形鋼板１３にわたって滑らかに連続させて打設するもので、まずコンクリートモルタル層７を打設する前に、底板６及び波形鋼板１３の上面に、金属製又はプラスチック製部材よりなり間隔を保持するスペーサ２７を配置し、その上に溶接金網又は鉄筋、ワイヤラスなどの補強材２８を配設する。また、所定範囲を区画するように、例えばゴム系材料などの伸縮継手材からなる帯板状の仕切板片２９を、接着や溶着或いは固着することなく下端部を接触させ支えた状態にして立設する。次いで、この区切板片２９に囲まれた範囲内にコンクリートモルタル層７を打設する。そして、仕切板片２９の上部には、例えば、シリコンゴム、合成樹脂材などの弾力性を有する目地材３０を充填する。この目地材３０は、コンクリートモルタル層７，７間の隙間を埋め、遮水するように充填し、コンクリートモルタル層７及び目地材３０の上面の滑り面３１を円滑に形成する。
また、コンクリートモルタル層７上面の滑り面３１は、水遊びの際に滑って危険とならないように、例えば、少なくとも底部２の表面は木ゴテなどを用いてやや粗い表面仕上げを行って粗仕上げ面に形成する。なお、側部３の表面は、金ゴテなどによって表面がより円滑になるように表面仕上げを行い、滑り状態をさらに良くしてもよい。
【００２３】
上記のように、コンクリートモルタル層７を区画するように伸縮性を有する仕切板片２９を設けたので、コンクリートモルタル層７が収縮や膨張をしても、伸縮性を有する仕切板片２９が変位を吸収するため、コンクリートモルタル層７にヒビ割れを発生することがない。また、仕切板片２９の上部に目地材３０を充填した滑り面３１は、遊戯者が滑って遊ぶのに障害とならず違和感を生じることもない。
また、上記のように、コンクリートモルタル層７の上面の滑り面３１を、木ゴテなどによって粗仕上げ面に形成しているので、底部２の上面は滑り難いため、夏期に遊戯者が裸足などで水遊びをする際に、滑って転んだりして危険となることがなく安全に遊ぶことができる。また、スケートボード遊びなどの際には、木ゴテ仕上げによる粗仕上げ面であっても滑走に何ら支障なく、円滑に走降して遊ぶことができる。このように木ゴテで表面仕上げを行うので、表面割れが生じ難く、底部２に水１６を溜めた際の遮水性が一層向上するため、水遊びにより適した遊び場となる。なお、側壁３の湾曲面の滑り面３１を金ゴテ仕上げをしてより滑り易く形成した場合には、スケートボード遊びなどの際に速度が増し、また水遊びの際にも滑り状態が良くなるため、レジャー性が一層向上した屋外遊び場となる。
【００２４】
なお、上記実施形態例は、屋外遊び場１の滑り面３１をコンクリートモルタル層７によって形成した場合について詳述したが、合成樹脂材層、或いは鋼板などでを用いて、連続した面で耐久性を有する滑り面３１を形成してもよい。この場合には、小規模で比較的単純な滑り面３１を有する遊び場を形成する場合に適し、簡単に組立て施工することが可能となる。
【００２５】
図５に屋外遊び場１の一事例の全体平面を示す。屋外遊び場１は、周囲を盛り上げ或いは内側を掘下げて、略平坦面と湾曲面を有する窪地状に形成する。この図５に示す屋外遊び場１は、全体形状を、平面円形、平面楕円形、平面長円形の形状を組合せて、変化性をもたせた窪地形状の滑り面３１に形成したものである。この屋外遊び場１の内部へは、出入口３２，３２など周囲から出入りする。この出入口３２の床面は緩やかなスロープを有する緩斜面３３に形成して出入りをし易くしている。また、出入口３２には安全のための手摺り３４を設け、さらに滑り面３１には、遊戯に使用するための高さの低いレール状の手摺り３５を設ける。
図５内の破線で示す範囲内は、略水平或いは緩やかな傾斜や湾曲した滑り面３１を有する底部２で、この底部２の外側の範囲、破線と実線に囲まれた帯状の範囲は、湾曲して立ち上がる滑り面３１を有する側部３に形成している。
【００２６】
また、図５に示すように、屋外遊び場１の底部２の最も低い箇所に排水設備３６を設け、雨水や溜った水を外部に排出するように形成する。
３７は屋外遊び場１内へ水を供給する水道蛇口や噴水などの給水設備で、２４は、図３で詳述したオーバーフロー設備で、底部２に水を溜めて所定水深を維持するように設ける。上記給水設備３７から屋外遊び場１内へ水を供給し、オーバーフロー設備２４を使用して底部２に所定水位の水を溜めて、夏期の暑い時期に水遊びなどに使用する。
なお、屋外遊び場１の側部３の外側には、略水平面に形成した肩部３８を設け、さらにその外側には飛び出しを防止する安全柵３９を設ける。また、安全柵３９の外側には、通路４０や広場、植え込みなどを設けることにより、騒音対策や美観など周辺環境にも配慮した屋外遊び場１となる。
【００２７】
上述のように形成した変化性に富んだ屋外遊び場１は、スケートボードやローラースケートなどの側部３を使用して滑走する遊びや、夏期には底部２に水を溜めて遊ぶ水遊びに適し、レジャー性の向上、運動競技の技量向上が図られ、安全で健康的に安心して遊ぶことができる屋外遊び場１となる。
【００２８】
【発明の効果】
上述の説明で明らかなように、この発明に係る屋外遊び場は、略水平な底部と該底部の外側に湾曲して立ち上がる側部とからなる窪地状の屋外遊び場であって、上記底部は支持層の上に略水平に配設した遮水構造の底板の上に打設したコンクリートモルタル層で形成し、かつ上記側面はフーチング上に設けた支持枠上に張設した波形鋼板の上に打設したコンクリートモルタル層で形成してなり、上記底板周縁部は垂直な止水縁を設けた周縁底板に形成するとともに、該周縁底板は上記フーチング上に固着したので、底部は、広い面積の底部にかかる垂直荷重を平均に確りと支えることができ、コンクリートモルタル層は底板に支えられて均一に打設することができ、また、地下水が上昇し底面に透過してくるのを防止し、降雨水も地下に浸透することなく、水を溜めて効率良く遊び場の外へ排出することが可能となり、また、底部の周縁に引っ張り荷重と曲げ荷重が伝わっても損傷などするおそれがなく高強度で耐久性に優れた底部となり、側部の湾曲面に曲げ荷重と繰り返し変形荷重を受けても損傷するおそれがなく、コンクリートモルタル層の施工性に優れ、構築が簡単容易となり工期も短縮化されるため経済性にも優れ、スケートボードなどを用いて滑って遊ぶのにより適した屋外遊び場を提供することができる。
【００２９】
また、上記屋外遊び場内へ水を供給する給水設備を設けるとともに、上記止水縁の上端縁より下方に水位を維持するオーバーフロー設備を設けた屋外遊び場にあっては、供給された水は止水縁で遮られてオーバーフロー設備で所定の水深が維持されるので、夏期には底部に水を溜めて遊ぶ水遊びに使用することができるため、スケートボード遊びなどと合わせて水遊びにも適したものとなり、レジャー性の向上が図られ、安全で健康的に安心して遊ぶことができる屋外遊び場となる。
【００３０】
また、上記屋外遊び場のコンクリートモルタル層は、縦断面を垂直に仕切る継手部材と、該継手部材の上部を充填する目地材とを設けるとともに、上面を木ゴテ仕上げ等による粗仕上げ面に形成したので、繰り返して滑走の荷重や変形荷重などがかかったり、温度や湿度、外気などの変化に対して、上記目地材の弾力性及び膨張、収縮性によって荷重が緩和されるため、コンクリートモルタル層にヒビ割れや表面クラックが入ることなく、耐久性が向上し、また、上記目地材が表出したコンクリートモルタル層の上面は平滑面となるので、滑走の障害となることはなく、さらにまた、コンクリートモルタル層の底部は水遊びの際に滑って危なくなることもなく安全に遊ぶことができる。
【図面の簡単な説明】
【図１】  この発明に係る屋外遊び場の実施形態例で、底部から側部に至る箇所を一部欠除して示す縦断面説明図である。
【図２】  図１の一部を拡大して詳細に示す説明図である。
【図３】  水を溜めた状態を示す説明図である。
【図４】  コンクリートモルタル層の縦断面を示す説明図である。
【図５】  屋外遊び場の一事例で、その全体平面を示す説明図である。
【符号の説明】
１  屋外遊び場                    ２  底部
３  側部                          ４  地盤基礎
５  支持層                        ６  底板
７  コンクリートモルタル層        ８  底部フーチング
９  内側端部                    １０  フーチング
１１  架構                        １２  支持枠
１３  波形鋼板                    １４  土留め壁
１５  杭基礎                      １６  水
１７  周縁底板                    １８  止水縁
１９  リブ板
２１  取付部材                    ２２  アンカーボルト
２３  連結板                      ２４  オーバーフロー設備
２５  オーバーフロー排出口        ２６  オーバーフロー排水管
２７  間隔保持片                  ２８  補強材
２９  仕切板片                    ３０  目地材
３１  滑り面                      ３２  出入口
３３  傾斜部                      ３４  手摺り
３５  手摺り                      ３６  排水設備
３７  給水設備                    ３８  肩部
３９  安全柵                      ４０  通路
【図１】
0004472894.tif 000002
【図２】
0004472894.tif 000003
【図３】
0004472894.tif 000004
【図４】
0004472894.tif 000005
【図５】
0004472894.tif 000006